(57)【要約】【課題】遊技場の床面に凹凸がある場合であっても、スペーサやシム等を用いずに装置本体を容易に、しかも正確に水平となるようにレベル調整することができる遊技装置のレベル調整機構を得る。【解決手段】外周面に所定間隔で描かれた複数の図柄列のうち一部が表示窓に表示されるように並列に配置され、起動スイッチによって互いに独立に回転を開始するとともに、停止スイッチによる停止操作によって順次停止する複数の回胴を装置本体に備えた遊技装置のレベル調整機構であって、装置本体の底板に貫通され下端に台座を有するレベル調整ボルトと、底板と台座との間のレベル調整ボルトに螺合される調整ナットと、底板を挟み調整ナットと反対側のレベル調整ボルトに螺合されるロックナットとを設けた。【選択図】        図１
2004267316.tif 000002
【特許請求の範囲】
【請求項１】
外周面に所定間隔で描かれた複数の図柄列のうち一部が表示窓に表示されるように並列に配置され、起動スイッチによって互いに独立に回転を開始するとともに、停止スイッチによる停止操作によって順次停止する複数の回胴を装置本体に備えた遊技装置のレベル調整機構であって、
前記装置本体の底板に貫通され下端に台座を有するレベル調整ボルトと、
前記底板と前記台座との間の該レベル調整ボルトに螺合される調整ナットと、
前記底板を挟み該調整ナットと反対側の前記レベル調整ボルトに螺合されるロックナットと
を具備したことを特徴とする遊技装置のレベル調整機構。
【請求項２】
請求項１記載の遊技装置のレベル調整機構であって、
前記底板に、前記調整ナット及び前記台座の進入可能な凹状のフレームが固着され、
該フレームの上板を前記レベル調整ボルトが貫通して設けられ、
前記フレームの少なくとも一つの側板には、前記調整ナットを露出させる調整穴が開口されたことを特徴とする遊技装置のレベル調整機構。
【請求項３】
請求項２記載の遊技装置のレベル調整機構であって、
前記台座が回転不能に前記凹状のフレームの内側に係合されたことを特徴とする遊技装置のレベル調整機構。
【請求項４】
請求項１〜請求項３のいずれか１項記載の遊技装置のレベル調整機構であって、
前記調整ナットと前記台座との間に前記レベル調整ボルトの頭部が配設されたことを特徴とする遊技装置のレベル調整機構。
【請求項５】
請求項４記載の遊技装置のレベル調整機構であって、
前記調整ナットが前記フレームの上板に固着され、
前記頭部と前記台座との間が回転自在に連結されたことを特徴とする遊技装置のレベル調整機構。
【発明の詳細な説明】
【０００１】
【発明の属する技術分野】
本発明は、複数の回胴が回転自在に並列して配置された遊技装置のレベル調整機構に関する。
【０００２】
【従来の技術】
遊技装置であるスロットマシンは、外周面に所定間隔で描かれた複数の図柄列のうち一部が表示窓に表示されるように並列に配置された複数の回胴を備えている。この種のスロットマシンには、従来のパチスロのように所謂、島に取り付けて複数台を並べて設置するもの（島置き型）の他、ゲームセンタやカジノの娯楽施設、或いは宿泊施設等で単独や少数台を直接床面に設置するもの（直接設置型）がある。特に、ゲームセンタやカジノの娯楽施設に設置される直接設置型のスロットマシンでは、客を惹き付けるための豪華さが求められるとともに、良好な据付設置性が要求される。
【０００３】
この出願の発明に関連する先行技術文献情報としては次のものがある。
【特許文献１】
特開２００２−３４６０３０号公報
【０００４】
例えば上記特許文献１に開示されるゲーム装置では、外観を豪華に見せるために、ゲーム装置前面の足元付近を単に鉛直平面とするのではなく、プレイヤが立つ位置に向けて突出したフット部材を付ける工夫がなされている。このゲーム装置１は、  図８に示すように、本体部３と、これに対して開閉自在なメインドア５と、本体部３の前面下部に対して着脱可能に設けられたフット部材７と、本体部３におけるメインドア５の下方で且つフット部材７の上方の位置に着脱可能に設けられたフロントドア９とを備えている。
【０００５】
図９に示すように、フット部材７は、カバー部７ａと、これに嵌め込まれたスチール製のプレート７ｂとから構成されている。フット部材７は、支柱１１に向かって同図の矢印Ａ方向にスライドさせることで、本体部３に対して挿抜することができる。この際、フット部材７は本体部３の底の左右両側に設けられた固定板１３上をスライドさせられることになる。なお、図９中、１５は、フット部材７の挿入口７ｃに挿入される固定用部材を表す。そして、フット部材７は、メインドア５が閉じることで、本体部３への着脱がロックされ、メインドア５が開くことで、ロックが解除される。これにより、豪華さを演出するためのフット部材７が、搬送時の便宜から着脱式であっても、専用の鍵を用いずに本体部３に装着できるようになっていた。
【０００６】
【発明が解決しようとする課題】
ところで、従来の遊技装置では、特に島置き型の場合、島内に嵌め込むようにして取り付けられるため、個々の水平レベルを調整するためのレベル調整機構は設けられていなかった。
しかしながら、それぞれを直に床面に並べて置く上記した直接設置型のスロットマシンにあっては、個々に良好な据付設置性が求められるものの、レベル調整機構を備えたものはなかった。このため、設置面である床面に、凹凸が生じていればそこに設置したスロットマシンの本体フレーム等に歪みが発生し、特に、複数の回胴を回転自在に支持するスロットマシンでは回胴のスムースな回転が阻害された。また、フレームに歪みが生じないまでも、回胴の回転軸が水平に保たれないと、回胴両端の軸受バランスを不均等にし、軸支持精度を短期で低下させてしまい、装置寿命を短縮させた。一方、このようなレベル調整を、シム（ｓｈｉｍ）やスペーサ等を床面と装置本体との隙間に入れることで行えば、付属部品数が増え管理が煩雑になるとともに、大重量の装置本体をバール等によって各隅ごとに持ち上げてシムを挟入・調整しなければならず、据付施工性を著しく低下させ、迅速な設置を行うことができなかった。
本発明は上記状況に鑑みてなされたもので、遊技場の床面に凹凸がある場合であっても、スペーサやシム等を用いずに装置本体を容易に、しかも正確に水平となるようにレベル調整することができる遊技装置のレベル調整機構を提供し、もって、据付施工性の向上、回胴のスムースな回転の確保及び軸支持精度の長期維持を図ることを目的とする。
【０００７】
【課題を解決するための手段】
上記目的を達成するための本発明に係る請求項１記載の遊技装置のレベル調整機構は、外周面に所定間隔で描かれた複数の図柄列のうち一部が表示窓に表示されるように並列に配置され、起動スイッチによって互いに独立に回転を開始するとともに、停止スイッチによる停止操作によって順次停止する複数の回胴を装置本体に備えた遊技装置のレベル調整機構であって、前記装置本体の底板に貫通され下端に台座を有するレベル調整ボルトと、前記底板と前記台座との間の該レベル調整ボルトに螺合される調整ナットと、前記底板を挟み該調整ナットと反対側の前記レベル調整ボルトに螺合されるロックナットとを具備したことを特徴とする。
【０００８】
この遊技装置のレベル調整機構では、ロックナットを緩めた後、調整ナットが所定の高さとなるように回転されることで、この調整ナットに底板が担持された状態で昇降され、底板からの台座の突出長が自在に調整される。したがって、遊技場の床面に凹凸がある場合においても、台座の突出長が凹凸に対応して増減されることで、スペーサやシム等を用いずに装置本体が容易に、しかも正確に水平となる。これにより、据付施工性が向上する。また、回胴のスムースな回転が確保されるとともに、回胴両端の軸受バランスが均等となり、軸受の軸支持精度が長期間維持されることとなる。なお、荷重がレベル調整ボルトに加わっている場合には、台座と床面とに摩擦が生じ、調整ナットの回転に伴ってレベル調整ボルトが供回りすることがない。また、荷重がレベル調整ボルトに加わっていない場合（例えば装置本体が吊り上げられている場合等）には、台座等が工具や手で回転規制される。
【０００９】
請求項２記載の遊技装置のレベル調整機構は、請求項１記載の遊技装置のレベル調整機構であって、前記底板に、前記調整ナット及び前記台座の進入可能な凹状のフレームが固着され、該フレームの上板を前記レベル調整ボルトが貫通して設けられ、前記フレームの少なくとも一つの側板には、前記調整ナットを露出させる調整穴が開口されたことを特徴とする。
【００１０】
この遊技装置のレベル調整機構では、レベル調整ボルトに螺合された調整ナットが、フレームの上板を担持することで、底板がこのフレームを介して調整ナットに支持されることとなる。そして、フレームが底板の下面に凹設されているので、調整ナット及び台座がこのフレームの内方に下方から進入することで、底板からの調整ナット及び台座の突出長が短縮可能となる。即ち、フレームを設けない場合に調整ナット及び台座の高さによって生じる底板と床面との隙間がなくなる。
【００１１】
請求項３記載の遊技装置のレベル調整機構は、請求項２記載の遊技装置のレベル調整機構であって、前記台座が回転不能に前記凹状のフレームの内側に係合されたことを特徴とする。
【００１２】
この遊技装置のレベル調整機構では、台座がフレームに対して回転不能になり、装置本体の荷重がレベル調整ボルトに加わっていない場合（例えば装置本体が吊り上げられている場合等）であっても、調整ナットの回転に伴ってレベル調整ボルトが供回りすることがない。したがって、レベル調整ボルトを工具や手で回転規制する必要がなくなる。
【００１３】
請求項４記載の遊技装置のレベル調整機構は、請求項１〜請求項３のいずれか１項記載の遊技装置のレベル調整機構であって、前記調整ナットと前記台座との間に前記レベル調整ボルトの頭部が配設されたことを特徴とする。
【００１４】
この遊技装置のレベル調整機構では、調整ナットを回転させる際、頭部がスパナー等によって回転規制されることで、調整ナットの回転に伴ってレベル調整ボルトが供回りすることが阻止可能となり、良好なレベル調整作業が可能となる。
【００１５】
請求項５記載の遊技装置のレベル調整機構は、請求項４記載の遊技装置のレベル調整機構であって、前記調整ナットが前記フレームの上板に固着され、前記頭部と前記台座との間が回転自在に連結されたことを特徴とする。
【００１６】
この遊技装置のレベル調整機構では、調整ナットがフレームの上板に固着されることで、調整ナットは回転不能となるが、頭部が回転されることで、レベル調整ボルトの軸線方向の可動（即ち、底板下面からの進退）が可能となる。また、レベル調整ボルトが台座に対して回転自在に連結されているので、荷重が加わることにより、台座が床面との摩擦によって回転不能となっている場合であっても、レベル調整ボルトの回転が容易となる。
【００１７】
【発明の実施の形態】
以下、本発明に係る遊技装置のレベル調整機構の好適な実施の形態を図面を参照して詳細に説明する。
図１は本発明に係るレベル調整機構を備えた遊技装置の分解斜視図、図２は図１に示した遊技装置の外観斜視図、図３は図１に示したレベル調整機構の正面図、図４は図３に示したレベル調整機構の平面図、図５は図３に示したレベル調整機構の側面図である。
【００１８】
先ず、本発明に係るレベル調整機構の説明に先立ち、当該レベル調整機構が設けられる遊技装置について説明する。図２に示すように、遊技装置（以下、「スロットマシン」という）１００は、複数の図柄列を回転表示させる表示手段２１と、複数の図柄列の回転を開始させる起動スイッチ２３と、図柄列を個々に停止させる停止スイッチ２５とを装置本体２７の前面で間口方向に並設して備えている。装置本体２７の前面上部には、運転表示灯２９、配当表示パネル３１が取付けられている。表示手段２１の下方には、上記起動スイッチ２３、上記停止スイッチ２５等が設けられた操作面３３が位置している。
【００１９】
表示手段２１には図示しない３本の平行な線とＸ字状に交差する２本の線とからなる５本の入賞ラインが画かれた表示窓３５が設けられ、表示窓３５のなかには周面に複数の異なる図柄列を表示する図１に示す三つの回胴リール３７ａ、３７ｂ、３７ｃが内蔵される。各回胴リール３７ａ、３７ｂ、３７ｃの停止時には、入賞ラインに沿うように３列３段計９個の図柄が表示窓３５から視認されるようになされている。
【００２０】
操作面３３の左方には、投入個数１、２及び３個に対応した貯留メダル投入ボタン３９ａ、３９ｂ、３９ｃが設けられている。操作面３３の右方には、個別メダル投入口４１と、一括メダル投入口４３が配置されている。これら、貯留メダル投入ボタン３９ａ、３９ｂ、３９ｃと個別メダル投入口４１とによってメダル投入機構が構成されている。また、操作面３３の左端直上にはメダル清算ボタン４５が設けられる。操作面３３の中央部に設けられた図柄列の停止スイッチ２５は、各回胴リール３７ａ、３７ｂ、３７ｃに対応した停止ボタン２５ａ、２５ｂ、２５ｃが配列されている。
【００２１】
また、図１に示すように、装置本体２７の上部には、照明ランプ４７が内蔵され、照明ランプ４７の左右にはサイドスピーカ４９、４９が内蔵される。装置本体２７内部の回胴リール３７ａ、３７ｂ、３７ｃの近傍には、集中端子基板５１と、サブ基板５３と、第１メイン基板５５及び第２メイン基板５７とを搭載するメイン基板取付ボート５９が取り付けられる。
【００２２】
操作面３３と表示手段２１の表示窓３５との間には補給シュート６１が開口され、補給シュート６１に投入された遊技メダルは、装置本体２７の下部に内蔵されるホッパータンク６３に収納される。ホッパータンク６３の近傍には補助収納庫６５が装着され、補助収納庫６５はホッパータンク６３で収納しきれない遊技メダルを収納するようになっている。装置本体２７の下部左上にはスピーカブラケット６７を介してウーハスピーカ６６が取り付けられる。また、装置本体２７の底板６８の前方両側の隅２箇所には、装置本体２７の高低レベルを調整するための本発明に係るレベル調整機構６９が設けられている。
【００２３】
ここで、本実施の形態では、図３、図４に示すように底板６８に、凹状のフレーム７１が固着されている。フレーム７１の少なくとも一つの側板７３には例えば矩形状の調整穴７５が開口される。レベル調整機構６９は、フレーム７１の上板７７に貫通されて下端に矩形状の台座７９を有するレベル調整ボルト８１と、上板７７と台座７９との間のレベル調整ボルト８１に螺合される調整ナット８３と、上板７７を挟み調整ナット８３と反対側のレベル調整ボルト８１に螺合されるロックナット８５とを備えている。調整ボルト８１は、上板７７に螺合されておらず、単に貫通している。つまり、上板７７に穿設された調整ボルト８１用の貫通穴は、調整ボルト８１の外径より大きく、その結果、調整ボルト８１は上板７７に対して軸線方向に移動自在となっている。
【００２４】
なお、レベル調整機構６９は、フレーム７１が底板６８に設けられていなくてもよい。この場合、レベル調整機構６９は、直接装置本体２７の底板６８を貫通して設けられる。
【００２５】
フレーム７１を備えたレベル調整機構６９では、レベル調整ボルト８１に螺合された調整ナット８３が、フレーム７１の上板７７を担持することで、底板６８がこのフレーム７１を介して調整ナット８３に支持されることとなる。そして、フレーム７１が底板６８の下面に凹設されているので、調整ナット８３及び台座７９がこのフレーム７１の内方に下方から進入することで、底板６８からの調整ナット８３及び台座７９の突出長が短縮可能となっている。即ち、フレーム７１を設けない場合に調整ナット８３及び台座７９の高さによって生じる底板６８と床面８７との隙間がなくなる。
【００２６】
図５に示すように、台座７９の外周には矩形状のプレート８９が固定され、プレート８９はフレーム７１の内側に上下方向の移動を許容しながら嵌っている（係合している）。プレート８９は、フレーム７１の内側に係合することで、レベル調整ボルト８１の軸線回りの台座７９の回転を規制している。
【００２７】
このように、台座７９の回転が不能となっているので、仮に装置本体２７の荷重がレベル調整ボルト８１に加わっていない場合（例えば装置本体２７が吊り上げられている場合等）であっても、調整ナット８３の回転に伴ってレベル調整ボルト８１が供回りすることがない。したがって、レベル調整ボルト８１を工具や手で回転規制する必要がなくなる。
【００２８】
調整ナット８３と台座７９との間には、レベル調整ボルト８１の頭部９１が配設されている。このレベル調整機構６９では、調整ナット８３を回転させる際、頭部９１がスパナー等によって回転規制されることで、調整ナット８３の回転に伴ってレベル調整ボルト８１が供回りすることが阻止され、良好なレベル調整作業が可能となる。
【００２９】
次に、上記のように構成されたレベル調整機構のレベル調整の手順を説明する。図６はレベル調整機構の調整手順を表す説明図である。
スロットマシン１００が遊技場の所定位置の床面８７に置かれたなら、装置本体２７の水平となる面（例えば底板６８等）に、水準器等を用いて水平か否かを測定する。その結果、高低調整の必要となった底板四隅のいずれかのレベル調整機構６９の調整を行う。
【００３０】
レベル調整機構６９によって高低を調整するには、先ず、図６（ａ）に示すように、ロックナット８５をレベル調整ボルト８１に対して回転させ、フレーム７１の上板７７との間に調整間隙９３を形成しておく。次いで、図６（ｂ）に示すように、調整穴７５からスパナー等（図示せず）を挿入して、調整ナット８３を回転する。底板６８を上げる場合には、調整間隙９３が縮小するように調整ナット８３を回転させ、底板６８を下げる場合には、調整間隙９３が拡大するように調整ナット８３を回転させる。
【００３１】
この際、プレート８９がフレーム７１の内側に位置しているときには、調整ナット８３のみを回転しても、レベル調整ボルト８１がプレート８９によって回転規制され、供回りすることがない。また、台座７９が装置本体２７の荷重によって床面８７に接触している場合も、床面８７との摩擦力によって台座７９、即ち、レベル調整ボルト８１が供回りすることがない。一方、プレート８９がフレーム７１から外れ、かつ台座７９が床面８７に接触していない場合には、他のスパナーで頭部９１を回転規制することで、レベル調整ボルト８１を供回りさせることなく、調整ナット８３の回転が可能となる。
【００３２】
レベル調整ボルト８１の高低レベル調整が完了したなら、図６（ｃ）に示すように、ロックナット８５を上板７７に向けて回転させ、このロックナット８５と調整ナット８３とで上板７７を挟持してレベル調整ボルト８１をフレーム７１に固定する。これにより、レベル調整機構６９の所定の高さへの調整が完了する。
【００３３】
従って、本実施の形態によるレベル調整機構６９によれば、ロックナット８５を緩めた後、調整ナット８３が所定の高さとなるように回転されるこことで、この調整ナット８３に底板６８が担持された状態で昇降され、底板６８からの台座７９の突出長が自在に調整される。したがって、遊技場の床面８７に凹凸がある場合においても、台座７９の突出長が凹凸に対応して増減されることで、スペーサやシム等を用いずに装置本体２７が容易に、しかも正確に水平となる。
【００３４】
これにより、据付施工性が向上する。また、回胴リール３７ａ、３７ｂ、３７ｃのスムースな回転が確保されるとともに、回胴両端の軸受バランスが均等となり、軸受の軸支持精度が長期間維持されることとなる。
【００３５】
次に、本発明に係るレベル調整機構の他の実施の形態を説明する。
図７は他の実施の形態によるレベル調整機構の正面図である。なお、図１〜図６に示した部材と同一の部材には同一の符号を付し、重複する説明は省略するものとする。
この実施の形態によるレベル調整機構９９は、調整ナット８３がフレーム７１の上板７７に溶接等によって固着されている。つまり、本実施の形態では、調整ナット８３が雌ねじを有するボス部を構成す。また、頭部９１と台座７９との間は、回転部１０３にて回転自在に連結されている。即ち、レベル調整ボルト８１と台座７９とは相対回転可能となっている。レベル調整ボルト８１は、調整穴７５から挿入されたスパナ等の工具によって、頭部９１が調整回転される。他の構成は上記のレベル調整機構６９と同様である。
【００３６】
この実施の形態によるレベル調整機構９９によって高低を調整するには、レベル調整機構６９の場合と同様に先ず、ロックナット８５をレベル調整ボルト８１に対して回転させ、フレーム７１の上板７７との間に調整間隙９３（図６参照）を形成しておく。次いで、調整穴７５からスパナー等を挿入して、頭部９１を廻してレベル調整ボルト８１を回転させる。底板６８を上げる場合には、調整間隙９３が縮小するように頭部９１を廻してレベル調整ボルト８１を回転させ、底板６８を下げる場合には、調整間隙９３が拡大するようにレベル調整ボルト８１を回転させる。
【００３７】
この際、台座７９に固着されたプレート８９がフレーム７１の内側に位置しているときには、レベル調整ボルト８１のみを回転しても、台座７９がプレート８９によって回転規制され、供回りすることがない。また、台座７９が装置本体２７の荷重によって床面８７に接触している場合も、床面８７との摩擦力によって台座７９が供回りすることがない。一方、プレート８９がフレーム７１から外れ、かつ台座７９が床面８７に接触していない場合には、工具等によって台座７９の回転が規制される。
【００３８】
レベル調整ボルト８１の高低レベル調整が完了したなら、ロックナット８５を上板７７に向けて回転させ、このロックナット８５と、ボス部となる調整ナット８３とで上板７７を挟持してレベル調整ボルト８１をフレーム７１に固定する。これにより、レベル調整機構１０１の所定の高さへの調整が完了する。
【００３９】
従って、他の実施の形態によるレベル調整機構９９によれば、調整ナット８３がフレーム７１の上板７７に固着されてボス部となるので、レベル調整ボルト８１の頭部９１が回転されると、レベル調整ボルト８１の軸線方向の移動（即ち、底板６８の下面からの進退）が可能となり、ボス部となる調整ナット８３からのレベル調整ボルト８１の突出長が自在に調整される。したがって、遊技場の床面８７に凹凸がある場合においても、レベル調整ボルト８１の突出長が床面の凹凸に対応して増減されることで、スペーサやシム等を用いずに装置本体２７が容易に、しかも正確に水平となる。この結果、据付施工性が向上する。また、回胴リール３７ａ、３７ｂ、３７ｃのスムースな回転が確保されるとともに、回胴両端の軸受バランスが均等となり、軸受の軸支持精度が長期間維持される。なお、レベル調整ボルト８１は、台座７９に対して回転自在に連結されているので、台座７９が床面８７と接触して回転不能であっても、回転調整が容易となる。
【００４０】
【発明の効果】
以上詳細に説明したように、本発明に係る遊技装置のレベル調整機構によれば、下端に台座を有するレベル調整ボルトを、装置本体の底板に貫通させて設け、底板と台座との間のレベル調整ボルトに調整ナットを螺合し、底板を挟みこの調整ナットと反対側の調整ボルトに、ロックナットを螺合したので、ロックナットを緩めた後、調整ナットを所定の高さとなるように回転することで、底板からの台座の突出長を自在に調整することができる。したがって、遊技場の床面に凹凸がある場合においても、スペーサやシム等を用いずに装置本体を容易に、しかも正確に水平となるようにレベル調整することができる。この結果、据付施工性を向上させることができるとともに、回胴のスムースな回転を確保することができ、しかも、回胴両端の軸受バランスを均等にして、軸受の軸支持精度を長期間維持することができる。
【図面の簡単な説明】
【図１】本発明に係るレベル調整機構を備えた遊技装置の分解斜視図である。
【図２】図１に示した遊技装置の外観斜視図である。
【図３】図１に示したレベル調整機構の正面図である。
【図４】図３に示したレベル調整機構の平面図である。
【図５】図３に示したレベル調整機構の側面図である。
【図６】レベル調整機構の調整手順を表す説明図である。
【図７】他の実施の形態によるレベル調整機構の正面図である。
【図８】従来のスロットマシンの外観斜視図である。
【図９】図８に示したフット部材の取り付け構造を表す拡大斜視図である。
【符号の説明】
２３…起動スイッチ、２５…停止スイッチ、２７…装置本体、３５…表示窓、３７ａ，３７ｂ，３７ｃ…回胴リール（回胴）、６８…底板、６９，９９…遊技装置のレベル調整機構、７３…側板、７５…調整穴、７７…フレームの上板、７９…台座、８１…レベル調整ボルト、８３…調整ナット、８５…ロックナット、９１…頭部、１００…遊技装置
【図１】
2004267316.tif 000003
【図２】
2004267316.tif 000004
【図３】
2004267316.tif 000005
【図４】
2004267316.tif 000006
【図５】
2004267316.tif 000007
【図６】
2004267316.tif 000008
【図７】
2004267316.tif 000009
【図８】
2004267316.tif 000010
【図９】
2004267316.tif 000011